(57)【特許請求の範囲】
【請求項１】
開口部に設けられる枠体が中竪枠によって袖パネル収納枠とドア収納枠とに分割され、前記袖パネル収納枠に袖パネルが前記中竪枠側が戸先となる様に回転可能に設けられ、前記ドア収納枠にドアが前記中竪枠側が戸先となる様に回転可能に設けられ、前記袖パネルの戸先に室外側表面から延出する袖パネル庇部が設けられ、該袖パネル庇部と前記袖パネルに対向する前記袖パネル収納枠の前階段面との間に高弾性部材が介設され、前記袖パネルの戸先端面又は前記中竪枠の袖パネル収納枠側側面のいずれか一方に先端が突出方向に付勢された係止部材が設けられ、前記戸先端面、前記中竪枠の袖パネル収納枠側側面のいずれか他方に前記係止部材が係合する係合部が設けられ、前記袖パネルが前記袖パネル収納枠が閉じられる過程で、前記袖パネル庇部が前記前階段部に押付けられることで前記高弾性部材が撓みながら前記係止部材が押込まれ、前記袖パネルが完全に閉じられた状態では前記高弾性部材が圧縮された状態で係止部材先端が弾性復帰して前記係合部に嵌合し、前記袖パネルの戸先が前記中竪枠に固定されることを特徴とする袖パネル付ドア。
【請求項２】
前記係止部材は前記袖パネルの戸先端面に設けられ、前記係合部は前記中竪枠の袖パネル収納枠側側面に設けられ、前記係止部材先端が嵌合する係合孔である請求項１の袖パネル付ドア。
【請求項３】
前記係止部材は、バネ性を有する板材である請求項２の袖パネル付ドア。
【請求項４】
前記係止部材は、突出方向に付勢された３角形状のラッチである請求項２の袖パネル付ドア。
【請求項５】
前記係止部材は、棒状の係合ピンであり、該係合ピンはスプリングにより、突出方向に付勢されている請求項２の袖パネル付ドア。
【請求項６】
前記係止部材は前記中竪枠の袖パネル収納枠側側面に設けられたバネ性を有する板材であり、前記係合部は前記袖パネルの戸先端面に設けられた係止突片である請求項１の袖パネル付ドア。
【請求項７】
前記中竪枠のドア収納枠側側面にはドア用のストライカが設けられ、該ストライカを取除いた状態で、ストライカ取付け用の孔から前記係合孔が露出する請求項２の袖パネル付ドア。
【請求項８】
前記袖パネルと前記中竪枠間にマグネットシートを介在させ、前記袖パネルの前記中竪枠からの浮き上がりを抑止した請求項１の袖パネル付ドア。
【発明の詳細な説明】
【技術分野】
【０００１】
本発明は、マンション等の玄関に設置される袖パネル付ドアに関するものである。
【背景技術】
【０００２】
マンション、或は一戸建住宅等の玄関に設置されるドアとして、袖パネルがセットで設置される袖パネル付ドアがあり、袖パネルには玄関に付帯する設備、例えばインターホン、表札、門灯、或は新聞受け等が設けられる。
【０００３】
一般的に袖パネルの裏面側は躯体の壁面となっており、又袖パネルに対して付帯機器の工事は袖パネルの背面側から施工する様になっている。従って、袖パネルは背面が外部に露出する様、着脱自在となっているか、或は回転可能な構造となっている。更に、袖パネルの工事完了後は特殊な事情、例えば付帯機器の保守等の事情が生じない限り、取外されることはない。更に、防犯上からも容易に取外すことができない構造が要求される。
【０００４】
従来の袖パネルの構造としては、例えば図１０に示されるものがある。
【０００５】
図示される様に、袖パネル１がヒンジ２を中心に回転可能に設けられると共にドア３が回転可能に取付けられる枠体４（図中、左部分のみを図示）に中竪枠５が設けられ、該中竪枠５には袖パネル１の戸先が当接し、袖パネル１の戸先を中竪枠５に固定し、更に中竪枠５にはドア３の戸先が当接し、ドア戸先が中竪枠５に係止される様になっている。
【０００６】
前記中竪枠５のドア側には、ストライカ６を取付ける為の欠切部７が形成されている。前記袖パネル１の戸先を固定する場合は、前記中竪枠５にストライカ６を取付ける前に、欠切部７から螺子８を挿入して螺子８により中竪枠５と袖パネル１の戸先とを固着し、その後ストライカ６を前記欠切部７に嵌込み取付けている。
【０００７】
従来の袖パネル付ドアの袖パネル固定では、前記袖パネル１の戸先を固定する構造と、前記ストライカ６を取付ける構造とが別構造であり、更に、螺子８により前記袖パネル１の戸先を固定する為には、先ず前記ストライカ６の着脱作業が必要であり、作業が面倒である。
【先行技術文献】
【特許文献】
【０００８】
【特許文献１】特開２００５−１６１４２号公報
【特許文献２】特開２００６−２２５８４号公報
【発明の概要】
【発明が解決しようとする課題】
【０００９】
本発明は斯かる実情に鑑み、袖パネルを固定する場合に、ストライカの着脱作業を伴うことなく実施可能とし、袖パネル付ドアの固定作業を容易にし、更には袖パネル付ドアに設置されている付帯機器の保守作業性を向上させるものである。
【課題を解決するための手段】
【００１０】
本発明は、開口部に設けられる枠体が中竪枠によって袖パネル収納枠とドア収納枠とに分割され、前記袖パネル収納枠に袖パネルが前記中竪枠側が戸先となる様に回転可能に設けられ、前記ドア収納枠にドアが前記中竪枠側が戸先となる様に回転可能に設けられ、前記袖パネルの戸先端面又は前記中竪枠の袖パネル収納枠側側面のいずれか一方に先端が突出方向に付勢された係止部材が設けられ、前記戸先端面、前記中竪枠の袖パネル収納枠側側面のいずれか他方に前記係止部材が係合する係合部が設けられ、前記袖パネルが袖パネル収納枠が閉じられる過程で、前記係止部材が押込まれ、前記袖パネルが完全に閉じられた状態で係止部材先端が復帰して前記係合部に嵌合し、前記袖パネルの戸先が前記中竪枠に固定される袖パネル付ドアに係るものである。
【００１１】
又本発明は、前記係止部材は前記袖パネルの戸先端面に設けられ、前記係合部は前記中竪枠の袖パネル収納枠側側面に設けられ、前記係止部材先端が嵌合する係合孔である袖パネル付ドアに係り、又前記係止部材は、バネ性を有する板材である袖パネル付ドアに係り、又前記係止部材は、突出方向に付勢された３角形状のラッチである袖パネル付ドアに係り、又前記係止部材は、棒状の係合ピンであり、該係合ピンはスプリングにより、突出方向に付勢されている袖パネル付ドアに係り、又前記係止部材は前記中竪枠の袖パネル収納枠側側面に設けられたバネ性を有する板材であり、前記係合部は前記袖パネルの戸先端面に設けられた係止突片である袖パネル付ドアに係り、更に又、前記中竪枠のドア収納枠側側面にはドア用のストライカが設けられ、該ストライカを取除いた状態で、ストライカ取付け用の孔から前記係合孔が露出する袖パネル付ドアに係るものである。
【発明の効果】
【００１２】
本発明によれば、開口部に設けられる枠体が中竪枠によって袖パネル収納枠とドア収納枠とに分割され、前記袖パネル収納枠に袖パネルが前記中竪枠側が戸先となる様に回転可能に設けられ、前記ドア収納枠にドアが前記中竪枠側が戸先となる様に回転可能に設けられ、前記袖パネルの戸先端面又は前記中竪枠の袖パネル収納枠側側面のいずれか一方に先端が突出方向に付勢された係止部材が設けられ、前記戸先端面、前記中竪枠の袖パネル収納枠側側面のいずれか他方に前記係止部材が係合する係合部が設けられ、前記袖パネルが袖パネル収納枠が閉じられる過程で、前記係止部材が押込まれ、前記袖パネルが完全に閉じられた状態で係止部材先端が復帰して前記係合部に嵌合し、前記袖パネルの戸先が前記中竪枠に固定されるので、螺子の締付け作業がなく、前記袖パネルを単に閉じるのみで袖パネルの固定が可能となり、袖パネル固定作業性が向上する。
【００１３】
又本発明によれば、前記係止部材は前記袖パネルの戸先端面に設けられ、前記係合部は前記中竪枠の袖パネル収納枠側側面に設けられ、前記係止部材先端が嵌合する係合孔であり、又前記中竪枠のドア収納枠側側面にはドア用のストライカが設けられ、該ストライカを取除いた状態で、ストライカ取付け用の孔から前記係合孔が露出するので、ストライカを取除いた状態で、前記係合孔から係合部材を取外すことができ、簡単に袖パネルの固定を解除することができるという優れた効果を発揮する。
【図面の簡単な説明】
【００１４】
【図１】本発明が実施される袖パネル付ドアの概略を示す正面図である。
【図２】図１のＡ−Ａ矢視図である。
【図３】第１の実施例を示し、図１のＢ−Ｂ矢視図である。
【図４】第２の実施例を示し、図１のＢ−Ｂ矢視相当図である。
【図５】第３の実施例を示し、図１のＢ−Ｂ矢視相当図である。
【図６】第４の実施例を示し、図１のＢ−Ｂ矢視相当図である。
【図７】第５の実施例を示し、図１のＢ−Ｂ矢視相当図である。
【図８】第６の実施例を示し、図１のＢ−Ｂ矢視相当図である。
【図９】第７の実施例を示し、図１のＢ−Ｂ矢視相当図である。
【図１０】従来の袖パネル付ドアを示す袖パネル部分の平断面図である。
【発明を実施するための形態】
【００１５】
以下、図面を参照しつつ本発明の実施例を説明する。
【００１６】
先ず、図１、図２に於いて、袖パネル付ドアについて説明する。
【００１７】
図１、図２中、図１０中で示したものと同等のものには同符号を付してある。
【００１８】
図１中、４は開口部に設けられる枠体であり、該枠体４には上下に延びる中竪枠５が設けられ、該中竪枠５によって前記枠体４が左右に分割され、前記枠体４の左竪枠１１と前記中竪枠５との間で袖パネル収納枠１２が構成され、又該中竪枠５と前記枠体４の右竪枠１３間にドア収納枠１４が構成される。
【００１９】
前記袖パネル１は前記左竪枠１１近傍に設けられたヒンジ２を中心に回転可能に設けられ、ドア３は前記右竪枠１３に蝶番１５を介して回転自在に取付けられている。前記袖パネル１には、郵便受け１６、インターホン１７、表札１８、門灯１９等の付帯機器が設置される。
【００２０】
前記袖パネル１の戸先は前記中竪枠５に当接し、袖パネル固定手段２１（後述）によって固定され、前記ドア３の戸先は前記中竪枠５に当接し、ノッチ（図示せず）、ストライカ６、ドアノブ等によって構成されるドア係止手段２２によって係止される様になっている。
【００２１】
又、前記ドア収納枠１４の内周部にはシール部材２３が設けられ、前記ドア３が閉じられた状態で該ドア３と前記ドア収納枠１４間がシールされる。
【００２２】
次に、図３を参照して前記袖パネル固定手段２１、前記ドア係止手段２２の第１の実施例について説明する。
【００２３】
前記中竪枠５のドア収納枠１４を形成する面の一部に欠切部７を形成し、該欠切部７にストライカ６が嵌込み取付けられる。前記中竪枠５の前記袖パネル収納枠１２を構成する部材２４は、全ての屈曲部が９０゜である断面Ｗ形状に形成され、中央に形成される凹部が前記袖パネル１の戸先の角部に対向する様に配設されている。又、前記部材２４は、閉状態の袖パネル１と平行な前階段面２４ａと該前階段面２４ａから前記袖パネル１の厚み分後退した後段差面２４ｂを有している。
【００２４】
前記袖パネル１の戸先には袖パネル庇部２５が室外側表面から延出する様に設けられ、該袖パネル庇部２５は前記前階段面２４ａと対向し、前記袖パネル１の戸先部の室内側表面が前記後段差面２４ｂに対向する様になっており、前記袖パネル庇部２５と前記前階段面２４ａとの間には高弾性材であるスポンジパッキン２６が介設され、前記袖パネル１の室内側面と前記後段差面２４ｂとの間には、前記袖パネル１の上下の少なくとも一部、好ましくは上下全長に亘ってマグネットシート２７が介設されている。
【００２５】
前記袖パネル庇部２５の前記前階段面２４ａと前記後段差面２４ｂとの間に形成される垂直面２４ｃは前記袖パネル１の戸先端面と平行に対向し、前記垂直面２４ｃの前記欠切部７と対応する部分に、係合スリット孔２８が穿設される。
【００２６】
前記袖パネル１の戸先端面の、前記係合スリット孔２８と対向する位置に係合片２９が取付けられる。該係合片２９はバネ性を有する部材であり、ステンレス薄板等が用いられる。又前記係合片２９は断面形状が略くの字形であり、一端部が前記袖パネル１の室内側面に固着され、他端部は室内側から室外側に向って袖パネル１戸先端面から離反する様に傾斜している。尚、前記他端部の先端を、袖パネル１戸先端面から更に離反する様に屈曲させてもよい。
【００２７】
前記袖パネル１の取付けについて説明する。
【００２８】
前記郵便受け１６、インターホン１７、表札１８、門灯１９等の付帯機器を前記袖パネル１に設置する場合は、前記ヒンジ２を中心に前記袖パネル１を開いておき、該袖パネル１の裏面側から付帯機器の設置作業を行う。
【００２９】
作業が完了し、前記袖パネル１を固定する場合は、前記袖パネル庇部２５を前記前階段面２４ａに押付ける。前記係合片２９は戸先端面側に撓みながら、該戸先端面と前記垂直面２４ｃ間の隙間に進入する。前記袖パネル庇部２５が該前階段面２４ａに押付けられることで前記スポンジパッキン２６が圧縮され、該スポンジパッキン２６が圧縮された状態で、前記係合片２９の先端が前記係合スリット孔２８に到達し、前記係合片２９が弾性で復帰し、前記係合片２９の先端が前記係合スリット孔２８に嵌合する。
【００３０】
従って、前記袖パネル１は、戸先部を前記中竪枠５に押付けるだけで簡単に固定できる。又、固定する際に、前記ストライカ６を取外す必要がなく、組立手順に制約がなくなる。
【００３１】
前記係合片２９が前記係合スリット孔２８に嵌合した状態では、前記マグネットシート２７は前記後段差面２４ｂ、前記袖パネル１の室内側面に完全に密着した状態となり、又前記マグネットシート２７の吸引力によって、前記袖パネル１の戸先部が前記後段差面２４ｂから浮上がることを防止する。前記袖パネル１の戸先側を固定するのは、前記係合片２９の一箇所であるが、前記マグネットシート２７によって前記袖パネル１の上下全長に亘って、吸着され、前記中竪枠５と前記袖パネル１間に隙間が生じないので、意匠性が向上する。
【００３２】
付帯機器の保守等で、前記袖パネル１を開く必要が生じた場合は、前記ドア３を開いた状態で、前記ストライカ６を取外せば、前記係合スリット孔２８が露出する。ドライバ等の先端が尖ったもので、前記係合スリット孔２８から前記係合片２９の先端を押込めば、該係合片２９と前記係合スリット孔２８との嵌合が解除され、前記袖パネル１を開くことが可能となる。
【００３３】
第１の実施例では螺子等を用いる必要がなく、袖パネル１の固定が可能であり、作業性は著しく向上する。
【００３４】
図４は、第２の実施例を示している。
【００３５】
第２の実施例では、係合片２９を部材２４側に設けたものである。
【００３６】
前記係合片２９の一端部を前記前階段面２４ａに固着する。スポンジパッキン２６は前記係合片２９の一端部の上から前記前階段面２４ａに取付ける。
【００３７】
前記袖パネル１の戸先端面には、係止突片３１を設ける。該係止突片３１は別分品として戸先端面に固着してもよく、或は前記袖パネル１の表面を覆う、表面パネル３２の戸先端面部分の前記係合片２９と対向する部分を切起して前記係止突片３１を成形してもよい。
【００３８】
第２の実施例に於いても、前記袖パネル１を固定するには、前記袖パネル１を閉じるだけでよい。該袖パネル１を閉じることで、前記係止突片３１が前記係合片２９を押込む様に変形させつつ隙間に進入し、前記袖パネル庇部２５が前記スポンジパッキン２６を圧縮させたところで前記係止突片３１が前記係合片２９を乗越え、該係合片２９が弾性復帰することで前記係止突片３１に係合する。該係止突片３１と前記係合片２９との係合により前記袖パネル１が固定される。又、前記袖パネル１を開く場合には、第１の実施例と同様に行えばよい。
【００３９】
図５は第３の実施例を示している。
【００４０】
第３の実施例では、袖パネル１にラッチ３４を設けた場合を示している。
【００４１】
中竪枠５の一部である部材２４が袖パネル収納枠１２を構成し、該部材２４の欠切部７と対応する位置にラッチ係合孔３５が穿設され、該ラッチ係合孔３５はストライカ６を取除いた状態で、外部に露出する様になっている。
【００４２】
袖パネル１の内部には、戸先方向に向って突出するラッチ３４が収納され、該ラッチ３４は、室内側が斜面となっている３角形状であり、図示しないスプリングにより突出する方向に付勢されている。前記袖パネル１の戸先端面にラッチ通孔３６が穿設され、該ラッチ通孔３６を通して前記ラッチ３４が出入りする。又前記ラッチ通孔３６は前記袖パネル１が完全に閉じられた状態で、前記ラッチ係合孔３５と合致する様になっている。
【００４３】
前記袖パネル１が開放した状態では、前記ラッチ３４は突出した状態であり、前記袖パネル１を閉じることで、前記ラッチ３４の斜面が前記部材２４の角に当接し、前記袖パネル１の回転で前記ラッチ３４が押込まれ、前記袖パネル１が完全に閉じられた状態で、前記ラッチ３４が前記ラッチ係合孔３５と合致し、図示しないスプリングの付勢により前記ラッチ３４が前記ラッチ係合孔３５に嵌入係合する。
【００４４】
前記ラッチ３４と前記ラッチ係合孔３５との係合により、前記袖パネル１が前記袖パネル収納枠１２に固定される。
【００４５】
第３の実施例に於いても、前記袖パネル１を閉じるだけで固定できる。又、該袖パネル１の固定を解除する場合は、前記ドア３を開き、前記ストライカ６を取外し、ドライバ等により前記欠切部７を通して前記ラッチ３４を押込み、該ラッチ３４と前記ラッチ係合孔３５との係合を解除する。
【００４６】
図６は第４の実施例を示している。
【００４７】
第４の実施例では、第３の実施例に於けるラッチ３４を係合ピン３７に変更したものである。該係合ピン３７を戸先方向に出入り自在に設けると共にスプリング３８により突出方向に付勢する。前記部材２４には前記ラッチ係合孔３５に代え前記係合ピン３７と嵌合可能な円形の嵌合孔３９を穿設する。
【００４８】
袖パネル１を固定する場合は、ピン等により前記係合ピン３７を押込んだ状態として袖パネル１を閉じ、前記係合ピン３７が部材２４に掛ったところでピン等を外し、更に袖パネル１を押込めば、前記係合ピン３７と前記嵌合孔３９とが嵌合して前記袖パネル１が固定される。
【００４９】
前記袖パネル１の固定を解除する場合は、前記ドア３を開き、前記ストライカ６を取外し、ドライバ等、尖端を持つ部材により前記欠切部７を通して前記係合ピン３７を押込み、該係合ピン３７と前記嵌合孔３９との係合を解除する。
【００５０】
図７は第５の実施例を示している。
【００５１】
第５の実施例では、袖パネル１の戸先端面と中竪枠５間に係合ピン４１を貫通させて、前記袖パネル１の戸先を前記中竪枠５に固定したものである。
【００５２】
部材２４の欠切部７と対応する位置に中竪枠側係合孔４２を穿設すると共に前記袖パネル１の戸先端面の前記中竪枠側係合孔４２と合致する位置に袖パネル側係合孔４３を穿設する。前記係合ピン４１は該袖パネル側係合孔４３と前記中竪枠側係合孔４２とに貫通させる。
【００５３】
前記係合ピン４１は頭部にフランジ４４が形成され、該フランジ４４はストライカ６が取付けられた状態で、前記ストライカ６の底面と部材２４間で挾持される様になっている。
【００５４】
前記袖パネル１を取付ける場合、前記ドア３が開の状態で、又前記ストライカ６が外された状態で、前記袖パネル１を閉じ、前記係合ピン４１を前記袖パネル側係合孔４３と前記中竪枠側係合孔４２とに貫通させる。次に、前記ストライカ６を前記中竪枠５に取付ける。
【００５５】
前記ストライカ６の取付けで、前記フランジ４４が前記ストライカ６の底面と部材２４間で挾持され、前記係合ピン４１が固定され、同時に袖パネル１が固定される。
【００５６】
尚、前記係合ピン４１の尖端を面取し、或は／更にテーパ形状とすることで、係合ピン４１の挿脱が容易となる。
【００５７】
尚、前記袖パネル１の固定解除は、前記ドア３を開き、前記ストライカ６を取外し、前記係合ピン４１を引抜くことで直ちに解除できる。
【００５８】
図８は第６の実施例を示している。
【００５９】
第６の実施例では、中竪枠５の部材２４に通孔を穿設すると共に袖パネル１の戸先端面に螺子孔を穿設し、ストライカ６が取付けられた状態で、該ストライカ６の底面に螺子４５が挿通され、該螺子４５を前記通孔を通して前記螺子孔に螺着することで、袖パネル１の戸先を前記中竪枠５に固定する様にしたものである。
【００６０】
第６の実施例では、ドア３を開くことで前記ストライカ６の底面が露出し、前記螺子４５の取外しが可能となる。従って、前記袖パネル１の固定解除が、前記ストライカ６を取付けたままで行うことができる。
【００６１】
図９は第７の実施例を示している。
【００６２】
第７の実施例では、ストライカ６を固定する螺子４６により、袖パネル１を固定する様にしたものである。
【００６３】
前記中竪枠５の前記ストライカ６を固定する螺子孔の代りに通孔を穿設し、該通孔と合致する様に、前記部材２４に通孔を穿設し、更に袖パネル１の戸先端面に螺子孔を穿設する。
【００６４】
前記ストライカ６を欠切部７に嵌合させ、前記螺子４６を前記ストライカ６、前記中竪枠５、前記部材２４に貫通させ、戸先端面の螺子孔に螺着する。
【００６５】
前記ストライカ６及び前記袖パネル１が螺子４６によって共に前記中竪枠５に固着される。
【００６６】
第７の実施例では、前記ストライカ６の着脱と同時に、前記袖パネル１の固定、解除が行え、別途に前記ストライカ６の着脱を行う必要がない。
【００６７】
尚、前述の各実施例に於いては、中竪枠５のドア収納枠１４を形成する面の一部且つドア３のドア係止手段２２に対応する位置であって欠切部７の近傍にストライカ６を螺子等により取付けているが、この様な構成のみでなく、中竪枠５の上下全長に亘って一つの部材を例えば上端と下端に於いて螺子等により中竪枠５に取付け、前記一つの部材のドア係止手段２２に対応する箇所に欠切部７とストライカ６を設けてもよい。
【００６８】
又、係合片２９や係合スリット孔２８等はドア係止手段２２の位置と対応させずに任意の場所に設けてもよい。尚、この場合には欠切部７とストライカ６に相当する部材は必ずしも必要ではないが、袖パネル１を固定解除する為に、ストライカ６に相当する着脱可能な蓋或いはヒンジ等により開閉可能な部材を配設することが好ましい。
【００６９】
更に、前述のストライカ６は着脱が可能（又は開閉可能）であることとして説明したが、この様な構成のみでなく、ストライカ６にスリットや孔等を設け、ここからドライバ等の先端が尖ったもの等を差込むことにより係合片２９を押込んで、係合片２９と係合スリット孔２８との嵌合を解除できる構成としてもよい。
【符号の説明】
【００７０】
１              袖パネル
３              ドア
４              枠体
５              中竪枠
７              欠切部
１２            袖パネル収納枠
１４            ドア収納枠
２１            袖パネル固定手段
２２            ドア係止手段
２５            袖パネル庇部
２７            マグネットシート
２８            係合スリット孔
２９            係合片
３１            係止突片
３２            表面パネル
３４            ラッチ
３５            ラッチ係合孔
３６            ラッチ通孔
３７            係合ピン
３９            嵌合孔
【図１】
0005396191.tif 000002
【図２】
0005396191.tif 000003
【図３】
0005396191.tif 000004
【図４】
0005396191.tif 000005
【図５】
0005396191.tif 000006
【図６】
0005396191.tif 000007
【図７】
0005396191.tif 000008
【図８】
0005396191.tif 000009
【図９】
0005396191.tif 000010
【図１０】
0005396191.tif 000011